(57)【特許請求の範囲】
【請求項１】
表示手段と、
撮影手段と、
操作者による所定の操作があった場合に、通信先の情報処理端末における操作者の応答操作を介在せずに、前記通信先の情報処理端末側に設けられた撮影手段で撮影された画像のデータを受信して自端末の前記表示手段で表示させるとともに、自端末の前記撮影手段で撮影された画像を前記通信先の情報処理端末に送信して前記通信先の情報処理端末の表示手段に表示させ、且つ、通信する情報処理端末間で通話処理を行うライブモードを実行し、操作者の操作に応じて前記ライブモードが選択された際、所定の登録手段で登録されたスケジュールに基づき通信先の情報処理端末を操作する操作者が不在であると判定された場合に、前記ライブモードを実行せずに中止するライブモード実行手段と、
を有する情報処理端末。
【請求項２】
所定の記憶手段に記憶されている画像を前記表示手段に表示して端末を写真立てとして機能させるフォトモードを実行するフォトモード実行手段と、
操作者の操作に応じて、前記ライブモード実行手段のライブモードまたは前記フォトモード実行手段のフォトモードのいずれか一方に切り替える制御手段と、
を更に有する請求項１に記載の情報処理端末。
【請求項３】
前記ライブモード実行手段は、通信接続が許可されている複数の情報処理端末との間で、前記ライブモードを実行する請求項１または２に記載の情報処理端末。
【請求項４】
前記ライブモード実行手段は、正規登録者の認証がとれた場合に前記ライブモードを実行する請求項１〜３のいずれか一項に記載の情報処理端末。
【請求項５】
表示手段と撮影手段とを有する情報処理端末に実装されるコンピュータを、
操作者による所定の操作があった場合に、通信先の情報処理端末における操作者の応答操作を介在せずに、前記通信先の情報処理端末側に設けられた撮影手段で撮影された画像のデータを受信して自端末の前記表示手段で表示させるとともに、自端末の前記撮影手段で撮影された画像を前記通信先の情報処理端末に送信して前記通信先の情報処理端末の表示手段に表示させ、且つ、通信する情報処理端末間で通話処理を行うライブモードを実行し、操作者の操作に応じて前記ライブモードが選択された際、所定の登録手段で登録されたスケジュールに基づき通信先の情報処理端末を操作する操作者が不在であると判定された場合に、前記ライブモードを実行せずに中止するライブモード実行手段として機能させるプログラム。
【発明の詳細な説明】
【技術分野】
【０００１】
本発明の実施形態は、情報処理端末およびプログラムに関する。
【背景技術】
【０００２】
従来、監視対象地に設置されたカメラで撮影された映像を監視する側のディスプレイに表示させ、監視対象地の人の出入りや動作などを監視する監視カメラシステムが知られている。
【０００３】
また、従来では、通信相手先の映像をディスプレイに表示させながら、通信相手先と通話するテレビ電話システムも知られている。
【発明の概要】
【発明が解決しようとする課題】
【０００４】
しかしながら、従来の監視カメラシステムでは、監視対象地側の許可や応答操作が無くとも監視対象地の映像をディスプレイに表示させることができるものの、片方向通信のため、監視対象地では、監視する側の映像を見ることができず、更に、監視する側と監視対象地側との間で通話を行うことはできないものである。
【０００５】
また、従来のテレビ電話システムでは、双方向通信のため、通信者間で通話を行うことができるものの、通信相手先が特別な応答操作をしなければ通信相手先の映像をディスプレイに表示させて確認することができないものである。
【課題を解決するための手段】
【０００６】
本実施形態の情報処理端末は、表示手段と、撮影手段と、ライブモード実行手段とを有する。ライブモード実行手段は、操作者による所定の操作があった場合に、通信先の情報処理端末における操作者の応答操作を介在せずに、前記通信先の情報処理端末側に設けられた撮影手段で撮影された画像のデータを受信して自端末の前記表示手段で表示させるとともに、自端末の前記撮影手段で撮影された画像を前記通信先の情報処理端末に送信して前記通信先の情報処理端末の表示手段に表示させ、且つ、通信する情報処理端末間で通話処理を行うライブモードを実行し、操作者の操作に応じて前記ライブモードが選択された際、所定の登録手段で登録されたスケジュールに基づき通信先の情報処理端末を操作する操作者が不在であると判定された場合に、前記ライブモードを実行せずに中止する。
【図面の簡単な説明】
【０００７】
【図１】図１は、実施形態に係る通信システムの概略的な構成を示す概要図である。
【図２】図２は、実施形態に係る情報処理端末の正面側の概略的な外観構成を示す斜視図である。
【図３】図３は、実施形態に係る情報処理端末の背面側の概略的な外観構成を示す斜視図である。
【図４】図４は、ディスプレイに表示される認証画面の一構成例を示す平面図である。
【図５】図５は、ディスプレイに表示されるメニュー画面の一構成例を示す平面図である。
【図６】図６は、ディスプレイに表示されるスケジュール登録画面の一構成例を示す平面図である。
【図７】図７は、ディスプレイに表示される画像選択画面の一構成例を示す平面図である。
【図８】図８は、ディスプレイに表示される拡大表示画面の一構成例を示す平面図である。
【図９】図９は、ディスプレイに表示される不在通知画面の一構成例を示す平面図である。
【図１０】図１０は、情報処理端末の概略的なハードウェア構成を示すブロック図である。
【図１１】図１１は、サーバ装置の概略的なハードウェア構成を示すブロック図である。
【図１２】図１２は、情報処理端末の機能的構成を示すブロック図である。
【図１３】図１３は、サーバ装置の機能的構成を示すブロック図である。
【図１４】図１４は、スケジュールＤＢに登録される登録情報の一構成例を示す図である。
【図１５】図１５は、通信システムの処理の流れを示すシーケンス図である。
【図１６】図１６は、サーバ装置の処理手順を説明するためのフローチャートである。
【図１７】図１７は、サーバ装置の処理手順を説明するためのフローチャートである。
【図１８】図１８は、情報処理端末の処理手順を示すフローチャートである。
【発明を実施するための形態】
【０００８】
以下、実施形態について添付図面を参照して説明する。
【０００９】
図１は、本実施形態に係る通信システム１の概略的な構成を説明するための概要図である。
【００１０】
図１に示すように、この通信システム１は、複数の情報処理端末２と、サーバ装置３とを備え、それらがネットワーク４を介して相互に通信可能に接続されている。
【００１１】
ここで、複数の情報処理端末２としては、病院側に設置され、その病院に入院している患者が使用する情報処理端末２Ａと、前記患者の家族や身内が住んでいる住居に設置され、その家族や身内が使用する複数の情報処理端末２Ｂ、２Ｃなどを含んでいる。
【００１２】
サーバ装置３は、情報処理端末２Ａと、複数の情報処理端末２Ｂ、２Ｃとを通信接続するサービスを提供するサーバ機能を有するコンピュータである。
【００１３】
ネットワーク４は、インターネットなどのネットワークであり、ルータなどの各種通信接続機器（不図示）が含まれている。
【００１４】
図２および図３は、本実施形態の情報処理端末２の概略的な外観構成を説明するための斜視図である。
【００１５】
図２に示すように、情報処理端末２は、薄板状の本体ハウジング２０を有している。そして、本体ハウジング２０の正面側には、ディスプレイ２１と、タッチパネル２２と、入力キー部２３と、カメラ２４と、マイク２５と、スピーカ２６などが設けられている。
【００１６】
ここで、ディスプレイ２１は、画像を表示する表示装置であり、例えば、ＬＣＤ（Ｌｉｑｕｉｄ  Ｃｒｙｓｔａｌ  Ｄｉｓｐｌａｙ）などで構成される。
【００１７】
具体的には、ディスプレイ２１は、所定の記憶部（内蔵の記憶部２０４（図１０参照）や、メモリーカードスロット３０にセットされたメモリカード（不図示）など）に記憶されている画像データに基づいて、風景画や、ペットや、家族などのデジタル写真を表示したり、デジタル時計やカレンダなどの画像を表示したり、図４〜図９に示すような各種画面を表示したりするものである。
【００１８】
図４〜図９は、ディスプレイ２１に表示される各種画面の一構成例を説明するための平面図である。
【００１９】
なお、図４が、認証画面Ｓ１を示し、図５が、メニュー画面Ｓ２を示し、図６が、スケジュール登録画面Ｓ３を示し、図７が、画像選択画面Ｓ４を示し、図８が、拡大表示画面Ｓ５を示し、図９が、不在通知画面Ｓ６を示している。
【００２０】
図４に示すように、この認証画面Ｓ１は、電源ボタン２７が押下されて、情報処理端末２の電源がオンになった場合や、入力キー部２３に含まれるメニューキー（図２参照）が選択された場合に表示される画面であり、正規のユーザの認証を行うための画面であり、操作者は、この認証画面Ｓ１を用いて、サーバ装置３に予め登録されているパスワードなどの認証（ＩＤ）情報を入力する。
【００２１】
なお、正規のユーザを特定するＩＤ情報としては、パスワード以外の情報を用いても良く、例えば、指紋などの生体情報を利用することも可能である。
【００２２】
また、図５に示すように、このメニュー画面Ｓ２は、前記認証画面Ｓ１により正規のユーザとして認証が取れた場合に表示される画面であり、操作者が、「デジタルフォトフレームモード」、「ライブカメラモード」、「スケジュール登録」、・・・などの各種メニュー項目の中から所望の項目を選択指定するためのものである。なお、図５の例では、操作者により、ライブカメラモードが選択される場合を示している。
【００２３】
また、図６に示すように、このスケジュール登録画面Ｓ３は、スケジュール登録ボタンアイコンが選択された場合に表示される画面であり、操作者が自己のスケジュールを登録するための画面である。なお、図６の例では、病院に入院している患者のスケジュール内容を示しており、この場合、「９：００〜９：３０」の時間帯に、診察の予定が入っていることを示し、「１２：００〜１３：００」の時間帯に、昼食の予定が入っていることを示し、「１４：００〜１６：００」の時間帯に、リハビリの予定が入っていることを示している。
【００２４】
また、図７に示すように、この選択画面Ｓ４は、前記メニュー画面Ｓ２でライブカメラモードアイコンが選択され、ライブ映像表示ボタンアイコンが選択された場合に表示される画面であり、この情報処理端末２と通信する通信相手先の複数の情報処理端末２に搭載されたカメラ２４でそれぞれ撮影された画像を縮小且つ低解像度にしたサムネイル画像を分割表示する画面であり、操作者は、分割表示される複数のサムネイル画像の中から所望の画像を選択する。
【００２５】
また、図８に示すように、この拡大表示画面Ｓ５は、選択画面Ｓ４で表示先のサムネイル画像が選択された場合に表示される画面であり、選択されたサムネイル画像に対応する高解像度の拡大画像を表示する画面である。即ち、操作者は、この画面により、通信相手先の映像を確認することができる。
【００２６】
また、図９に示すように、この不在通知画面Ｓ６は、通信相手先で登録されたスケジュールに基づき通信相手先が不在である場合に表示される画面であり、前記登録されたスケジュールに基づいて、通信相手先が不在であることと、通信相手先の不在理由を通知するための画面である。なお、図９の例では、図１の情報処理端末２Ｂ、２Ｃ側で表示される場合の例を示しており、この場合には、病院にいる患者（操作者Ａ）が「診察中」であることを示している。
【００２７】
なお、図４〜図９の各画面には、各種情報（パスワードや、予定内容など）を入力指示したり、終了を指示するための機能アイコンとして、複数の文字キーを有するキーボードアイコンや、カーソルキーアイコンや、終了ボタンアイコンなどが表示される。
【００２８】
また、図２に戻って、タッチパネル２２は、ディスプレイ２１に積層されており、ディスプレイ２１に表示された機能ボタンアイコンやサムネイル画像などの各種項目をタッチ操作で選択するための入力インタフェースである。
【００２９】
入力キー部２３は、メニュー表示キー、カーソールキー、決定キー、音量調節キーなどの各種機能を指示するハードキーを有しており、ディスプレイにメニュー画面を表示させたり、タッチパネルと同様に、ディスプレイ２１に表示された各種項目を選択したり、通話している相手の音声出力のボリュームを調節したりするためのものである。
【００３０】
カメラ２４は、ＣＣＤ（Ｃｈａｒｇｅ−Ｃｏｕｐｌｅｄ  Ｄｅｖｉｃｅ）などのデジタルカメラであり、情報処理端末２が設置された場所の様子や、情報処理端末２を操作する操作者の様子などを撮影するための撮影装置である。マイク２５は、情報処理端末２の周辺の音を集音するものであり、特に、後述のライブカメラモードにおける操作者の音声を集音する。スピーカ２６は、通話している相手の音声を出力するスピーカである。
【００３１】
また、本体ハウジング２０の一側面には、情報処理端末２の電源をオン／オフするための電源ボタン２７などが設けられている。
【００３２】
また、図３に示すように、本体ハウジング２０の背面側には、スタンド２８や、ＵＳＢ（Ｕｎｉｖｅｒｓａｌ  Ｓｅｒｉａｌ  Ｂｕｓ）コネクタ２９や、メモリーカードスロット３０や、ＡＣアダプタ差込口３１などが設けられている。
【００３３】
ここで、スタンド２８は、本体ハウジング２０を縦置き状態または横置き状態にして立てるための台である。ＵＳＢコネクタ２９は、ＵＳＢメモリを接続したり、ＵＳＢケーブルを介してデジタルカメラやパーソナルコンピュータなどの外部装置（不図示）を接続する端子である。メモリカードスロット３０は、メモリカード（不図示）を差込むための差込口である。ＡＣアダプタ差込口３１は、ＡＣアダプタ（不図示）のコードを差込むための差込口である。
【００３４】
即ち、この情報処理端末２は、所定の記憶部（メモリカードスロット３０にセットされたメモリカード（不図示）など）に記憶されている画像をディスプレイ（表示部）２１に表示して情報処理端末２が写真立てとして機能するデジタルフォトフレームモード（第１のモード）と、通信相手先の情報処理端末２側に設けられたカメラ（撮影部）２４で撮影されたライブ画像をディスプレイ２１に表示するライブカメラモード（第２のモード）とを有し、操作者の操作に応じて、いずれか一方のモードを実行することが可能なものである。
【００３５】
特に、操作者による操作（タッチパネル２２へのタッチ操作や、入力キー部２３の押下操作など）が行われていない場合には、情報処理端末２は、デジタルフォトフレームモード（第１のモード）を実行し、デジタル写真をディスプレイ２１に表示することで、写真立てとして利用される。
【００３６】
図１０は、情報処理端末２の概略的なハードウェア構成を説明するための図である。
【００３７】
図１０に示すように、この情報処理端末２は、例えば、ＣＰＵ（Ｃｅｎｔｒａｌ  Ｐｒｏｃｅｓｓｉｎｇ  Ｕｎｉｔ）２０１と、このＣＰＵ２０１とバスラインＢＬ１を介して接続されるＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、記憶部２０４、第１の通信Ｉ／Ｆ部２０５、第２の通信Ｉ／Ｆ部２０６、表示部２０７、操作入力部２０８、撮影部２０９、音声入力部２１０および音声出力部２１１と、それら各負荷部に電力を供給する電力供給部２１１などを備えている。
【００３８】
ここで、ＣＰＵ２０１は、コンピュータ全体の制御、即ち、各種演算や各構成要素部に対する各種処理を制御する。ＲＯＭ２０２は、後述のフローチャートにおける処理手順を実行する処理プログラムＰ１などの各種プログラムや、それら各種プログラムで使用される各種データなどのファイルを記憶する。ＲＡＭ２０３は、入力データや表示データなどの作業中のデータや、コンピュータの起動時にＲＯＭ２０２から読み出されたプログラムなどを一時的に記憶する。
【００３９】
記憶部２０４は、フラッシュメモリなどの不揮発性メモリで構成され、電源が遮断されても保持する必要があるデータ（例えば、図４〜図９の各画面を表示するための画像データなど）を記憶するものである。
【００４０】
第１の通信Ｉ／Ｆ部２０５は、通信インタフェース回路（不図示）などで構成され、ＵＳＢコネクタ２９に接続されたＵＳＢメモリ（不図示）やＵＳＢケーブルを介して接続されるパーソナルコンピュータ（不図示）との間で、記憶部２０４に保存する画像データなどのデータの送受信を行うものである。
【００４１】
第２の通信Ｉ／Ｆ部２０６は、通信インタフェース回路（不図示）などで構成され、ネットワーク４を介して他の情報処理端末２から送られてくる画像データを受信したり、自装置のカメラ２４で取得した画像データを送信したりするものである。
【００４２】
表示部２０７は、各種情報を表示するものであり、前記したディスプレイ２１と、そのディスプレイ２１における各種情報の表示を制御する表示コントローラ（不図示）などを有している。
【００４３】
操作入力部２０８は、各種情報を入力するものであり、前記したタッチパネル２２と、入力キー部２３と、それらタッチパネル２２および入力キー部２３からの操作信号の入力を制御する入力コントローラ（不図示）とを有している。
【００４４】
撮影部２０９は、被写体（特に、情報処理端末を使用する操作者）を撮影するものであり、前記したカメラ２４と、そのカメラ２４における撮影を制御するカメラコントローラ（不図示）などを有している。
【００４５】
音声入力部２１０は、各種音声を出力するものであり、前記したマイク２５と、そのマイク２５からの音声入力を制御するマイクコントローラ（不図示）などを有している。
【００４６】
音声出力部２１１は、各種音声を出力するものであり、前記したスピーカ２６と、そのスピーカ２６からの音声出力を制御するスピーカコントローラ（不図示）などを有している。
【００４７】
電力供給部２１２は、ＡＣアダプタ（不図示）を介して接続される商用電源から、前記した各負荷部２０１〜２１１に必要な電力を供給するための電源部である。
【００４８】
なお、前記した実施形態では、ＡＣアダプタ（不図示）を介して外部の商用電源からの
電力を各負荷部に供給する形態について示したが、これに限定されず、着脱可能な蓄電池から電力を供給するような形態とすることも可能である。
【００４９】
なお、前記した実施形態では、操作者は、タッチパネル２２および入力キー部２３を用いて、各種機能指示を入力する場合について説明したが、これ以外にも、例えば、タッチパネル２２または入力キー部２３のようなハードキーのいずれか一方のみから入力できるようにしても良いし、その他の入力方法により各種機能指示を入力しても良く、例えば、リモコンなどを利用して入力するような形態とすることも可能である。
【００５０】
図１１は、サーバ装置３のハードウェア構成を説明するためのブロック図である。
【００５１】
図１１に示すように、サーバ装置３は、一般的なコンピュータを利用したハードウェア構成となっており、例えば、ＣＰＵ３０１と、このＣＰＵ３０１とバスラインＢＬ２を介して接続されるＲＯＭ３０２、ＲＡＭ３０３、記憶部３０４、第１の通信Ｉ／Ｆ部３０５、第２の通信Ｉ／Ｆ部３０６、表示部３０７、操作入力部３０８および音声出力部３０９と、それら各負荷部に電力を供給する電力供給部３１０などを備えている。
【００５２】
ここで、ＣＰＵ３０１は、コンピュータ全体の制御、即ち、各種演算や各構成要素部に対する各種処理を制御する。ＲＯＭ３０２は、後述のフローチャートにおける処理手順を実行する処理プログラムＰ２などの各種プログラムや、それら各種プログラムで使用される各種データなどのファイルを記憶する。ＲＡＭ３０３は、入力データや表示データなどの作業中のデータや、コンピュータの起動時にＲＯＭ３０２から読み出されたプログラムなどを一時的に記憶する。
【００５３】
記憶部３０４は、ハードディスク装置（ＨＤＤ：Ｈａｒｄ  Ｄｉｓｋ  Ｄｒｉｖｅ）などで構成され、電源が遮断されても保持する必要があるデータ（例えば、複数の情報処理端末２間を接続するための情報や、スケジュールデータを登録するスケジュールデータベース（ＤＢ）など）を記憶するものである。
【００５４】
第１の通信Ｉ／Ｆ部３０５は、通信インタフェース回路（不図示）などで構成され、ＵＳＢコネクタ（不図示）に接続されたＵＳＢメモリ（不図示）や、ＵＳＢコネクタに接続されたＵＳＢケーブルを介して接続される他のパーソナルコンピュータ（不図示）との間で、各種データの送受信を行うものである。第２の通信Ｉ／Ｆ部３０６は、通信インタフェース回路（不図示）などで構成され、ネットワーク４を介して接続される情報処理端末２との間で各種データの送受信を行うものである。
【００５５】
表示部３０７は、各種情報を表示するものであり、ディスプレイ（不図示）と、そのディスプレイにおける各種情報の表示を制御する表示コントローラ（不図示）などを有している。操作入力部３０８は、各種情報を入力するものであり、前記したキーボードやマウスなどの入力装置（不図示）と、その入力装置からの操作信号の入力を制御する入力コントローラ（不図示）とを有している。音声出力部３０９は、各種音声を出力するものであり、前記したスピーカ（不図示）と、そのスピーカからの音声出力を制御する音声コントローラ（不図示）などを有している。
【００５６】
電力供給部３１０は、ＡＣアダプタ（不図示）を介して接続される商用電源から、前記した各負荷部３０１〜３０９に必要な電力を供給するための電源部である。
【００５７】
図１２は、ＣＰＵ２０１がＲＯＭ２０２に記憶されている処理プログラムＰ１を、ＲＡＭ２０３上に展開して実行することにより実現される、情報処理端末２の機能的構成（即ち、ソフトウェア構成）を説明するためのブロック図である。
【００５８】
図１２に示すように、情報処理端末２は、機能的構成として、表示処理部２００ａ、入力処理部２００ｂ、認証受付処理部２００ｃ、データ送受信部２００ｄ、メニュー処理部２００ｅなどを有している。
【００５９】
ここで、表示処理部２００ａは、ディスプレイ２１に各種画面Ｓ１〜Ｓ６（図４〜図９参照）を表示する処理を行うものである。
【００６０】
入力処理部２００ｂは、タッチパネル２２および入力コントローラ（不図示）を介して操作者の各種操作指示を入力処理するものである。
【００６１】
認証受付処理部２００ｃは、認証画面Ｓ１で入力されたパスワードに基づいて操作者が正規に使用を許可された者であるか否かを判定し、認証が取れた場合に情報処理端末２の使用を許可する処理を行うものである。
【００６２】
データ送受信部２００ｄは、各種データの送受信の処理を行うものである。具体的には、このデータ送受信部２００ｄは、第２のモード実行部２２２から入力した画像データや音声データなどをネットワーク４を介して通信先の情報処理端末２に送信したり、ネットワーク４を介して通信先の情報処理端末２から受信した画像データや音声データを第２のモード実行部２２２に出力したりする。
【００６３】
メニュー処理部２００ｅは、メニュー画面Ｓ２（図５参照）に表示される各種項目の処理を行うものであり、第１のモード実行部２２１、第２のモード実行部２２２、スケジュール登録部２２３などを有している。
【００６４】
第１のモード実行部２２１は、デジタルフォトフレームモードを実行処理するものであり、他の情報処理端末２との間で通信（ライブカメラモードによる双方向通信）を行わないときに、記憶部２０４などに記憶されている画像データに基づいてディスプレイ２１にデジタル写真（画像）を表示する処理を行うものである。
【００６５】
第２のモード実行部２２２は、ライブカメラモードを実行処理するものであり、テレビ電話システムのように、他の情報処理端末２に搭載されたカメラ２４で撮影された映像をディスプレイ２１に表示させながら通話を行うための処理を行うものである。即ち、第２のモード実行部２２２は、図７〜図９の各種画面Ｓ４〜Ｓ６をディスプレイ２１に表示するとともに、カメラ２４で撮影された映像を示す画像データや、マイク２５で集音された操作者の音声を示す音声データを作成してデータ送受信部２００ｄに出力する。これにより、データ送受信部２００ｄが、画像データおよび音声データをサーバ装置３に送信する。
【００６６】
スケジュール登録部２２３は、メニュー画面Ｓ２（図５参照）でスケジュール登録アイコンが選択された場合に、正規のユーザのスケジュールを登録する処理を行う。具体的には、スケジュール登録部２２３は、操作者の操作によりスケジュール登録画面Ｓ３（図６参照）で入力されたスケジュールの内容（時間帯と予定内容）を示す情報を入力処理部２００ｂを介して入力し、該入力したスケジュールの内容を示す情報とＩＤ情報とを含むスケジュールデータを作成してデータ送受信部２００ｄに出力する。これにより、データ送受信部２００ｄが、スケジュールデータをサーバ装置３に送信する。
【００６７】
図１３は、ＣＰＵ３０１がＲＯＭ３０２に記憶されている処理プログラムＰ２を、ＲＡＭ３０３上に展開して実行することにより実現される、サーバ装置３の機能的構成（即ち、ソフトウェア構成）を説明するためのブロック図である。
【００６８】
図１３に示すように、サーバ装置３は、機能的構成として、表示処理部３００ａ、入力処理部３００ｂ、登録処理部３００ｃ、データ送受信部３００ｄ、接続処理部３００ｅなどを有している。
【００６９】
ここで、表示処理部３００ａは、表示部３０７を用いて各種画像を表示する処理を行うものである。入力処理部３００ｂは、操作入力部３０８を用いて操作者の各種操作指示を入力処理するものである。
【００７０】
登録処理部３００ｃは、ライブカメラモードによる通信を行うのに必要なデータ（ＩＤ情報やスケジュール情報）の登録処理を行うものである。具体的には、登録処理部３００ｃは、入力処理部２００ｂを介して、情報処理端末２から受信したスケジュールデータをスケジュールＤＢに登録する。
【００７１】
図１４は、スケジュールＤＢに登録される登録情報の一構成例を説明するための図である。
【００７２】
図１４に示すように、スケジュールＤＢは、受信したスケジュールデータに含まれるＩＤ情報に対応付けてユーザ毎のスケジュール（時間帯および予定内容）を登録する。
【００７３】
図１３に戻って、データ送受信部３００ｄは、情報処理端末２との間で各種データの送受信処理を行うものである。
【００７４】
接続処理部３００ｅは、複数の情報処理端末２を接続して、双方向通信を行わせるものである。例えば、接続処理部３００ｅは、図１の病院側に設置された情報処理端末２Ａと、自宅側に設置された情報処理端末２Ｂ、２Ｃとを接続する。
【００７５】
次に、前記した構成の通信システム１における各種処理動作について図１５〜図１８を用いて説明する。
【００７６】
図１５は、通信システム１における処理の流れを説明するためのシーケンス図であり、特に、この場合は、病院側の情報処理端末２からアクセスがあった場合の処理の流れを示している。
【００７７】
図１５に示すように、このシーケンスでは、まず、情報処理端末２Ａを操作する操作者Ａが、タッチパネル２２をタッチして認証画面Ｓ１をディスプレイ２１に表示させ、パスワードを入力すると、情報処理端末２Ａがサーバ装置３にアクセス要求を行う（ステップＳ１）。すると、サーバ装置３が、認証処理を行う（ステップＳ２）。そして、サーバ装置３は、認証結果を情報処理端末２Ａに返信する。
【００７８】
続いて、情報処理端末２Ａでは、操作者の操作に応じて、デジタルフォトフレームモードや、ライブカメラーモード、スケジュール登録などのメニュー処理を実行する（ステップＳ３）。
【００７９】
ステップＳ３の処理において、操作者の選択操作に応じてスケジュール登録を実行する場合には、情報処理端末２Ａから操作者により入力されたスケジュールを示すデータがサーバ装置３に送信される。すると、サーバ装置３では、受信したスケジュールデータをスケジュール登録ＤＢに登録する（ステップＳ４）。
【００８０】
一方、ステップＳ３の処理において、操作者の選択操作に応じてライブカメラモードを実行する場合には、情報処理端末２Ａからライブ映像要求信号がサーバ装置３に送信される。すると、サーバ装置３では、接続処理を実行する（ステップＳ５）。
【００８１】
ステップＳ５の接続処理では、サーバ装置３は、通信相手先のスケジュールをチェックし、相手が不在であると判定した場合には、不在理由通知を情報処理端末２Ａに返信する。一方、相手が不在でないと判定した場合には、サーバ装置３は、予め登録されている接続情報に基づいて情報処理端末２Ａの通信相手先となる情報処理端末２Ｂ、２Ｃに対して呼出処理を行い、情報処理端末２Ｂ、２Ｃから自動応答（カメラ２４で撮影された映像の画像データを含む）を受信する。その後、サーバ装置３は、受信した画像データに基づいて、各情報処理端末２Ｂ、２Ｃの撮影画像のサムネイル画像を作成して情報処理端末２Ａに送信する。
【００８２】
一方、サムネイル画像を受信した情報処理端末２Ａは、操作者による選択画面Ｓ４における画像選択操作に応じて、画像選択信号をサーバ装置３に送信する。すると、サーバ装置３では、受信した画像選択信号に基づいて該当する情報処理端末２（２Ｂまたは２Ｃ）と、情報処理端末２Ａとの間でライブデータ（画像データおよび音声データ）の送受信を行わせる接続処理を行う。
【００８３】
図１６および図１７は、サーバ装置３の処理手順を説明するためのフローチャートであり、図１６が、情報処理端末２からスケジュールデータを受信した場合の処理（即ち、図１５のステップＳ４に相当）の手順を示し、図１７が、情報処理端末２からライブ映像要求信号を受信した場合の処理（即ち、図１５のステップＳ５に相当）の手順を示している。
【００８４】
図１６に示すように、サーバ装置３は、情報処理端末２（例えば、情報処理端末２Ａ）からスケジュールデータを受信すると（ステップＳ１１：Ｙｅｓ）、ステップＳ１２において、登録処理部３００ｃが、受信したスケジュールデータを解析し、ＩＤ情報に対応付けて個人のスケジュール情報（時間帯および予定内容）をスケジュールＤＢに登録する。
【００８５】
また、図１７に示すように、サーバ装置３は、通信開始元の情報処理端末２からライブ映像要求信号を受信すると（ステップＳ２１）、続くステップＳ２２において、接続処理部３００ｅが、ＩＤ情報を基に該当する通信相手先のスケジュールをチェックし、該チェックの結果、通信相手先が不在であると判定した場合には（ステップＳ２３：Ｙｅｓ）、不在理由を示すデータを通信開始元の情報処理端末２に返信（ステップＳ２４）し、ここでの処理を終了する。
【００８６】
一方、通信相手先が不在でないと判定した場合（ステップＳ２３：Ｎｏ）には、サーバ装置３は、ステップＳ２５において、接続処理部３００ｅが、通信相手先の情報処理端末２を呼出す。この呼出に応答して通信相手先の情報処理端末２から画像データを含む応答信号を受信すると（ステップＳ２６）、通信開始元の情報処理端末２に対してサムネイル画像を送信する（ステップＳ２７）。
【００８７】
その後、操作者のライブモードの終了操作が行われるまで（ステップＳ２９：Ｙｅｓ）、接続処理部３００ｅが、通信開始元の情報処理端末２から受信する画像選択信号で特定される通信相手先の情報処理端末２と通信開始元の情報処理端末２との間で送受信されるライブデータ（画像データおよび音声データ）の中継処理を行う（ステップＳ２８）。
【００８８】
図１８は、情報処理端末２の処理手順を説明するためのフローチャートであり、図１５のステップＳ３のメニュー処理の詳細を説明するための図である。
【００８９】
図１８に示すように、情報処理端末２は、デジタルフォトフレームモードによりデジタル写真を表示している状態で、操作者によりタッチパネル２２がタッチ操作され、認証画面Ｓ１でパスワードが入力されると、データ送受信部２００ｄが、認証受付処理部２００ｃから入力したＩＤデータをサーバ装置３に送信する（ステップＳ３１）。
【００９０】
その後、サーバ装置３の認証処理により、認証が取れなかった場合には（ステップＳ３２：Ｎｏ）、認証受付処理部２００ｃが、認証が取れない旨を操作者に通知するエラー通知処理を行い（ステップＳ３３）、ここでの処理を終了する。
【００９１】
一方、サーバ装置３の認証処理により、認証が取れた場合には（ステップＳ３２：Ｙｅｓ）、続いて、メニュー処理部２００ｅが、メニュー画面Ｓ２における各種メニュー項目の選択の待受け処理を行う（ステップＳ３４）。
【００９２】
この待受け処理において、操作者によりデジタルフォトフレームモードの項目が選択された場合には、第１のモード実行部２２１が、デジタルフォトフレームモードを実行する（ステップＳ３５）。
【００９３】
一方、ステップＳ３４の待受け処理において、操作者によりライブカメラモードの項目が選択された場合には、続いて、第２のモード実行部２２２が、操作者によりライブカメラモードの終了操作が行われるまで、ライブカメラモードを実行する（ステップＳ３６）。
【００９４】
また、一方、ステップＳ３４の待受け処理において、操作者によりスケジュール登録の項目が選択された場合には、スケジュール登録部２２３が、操作者によりスケジュール登録の終了操作が行われるまで、スケジュール登録の処理を実行する（ステップＳ３７）。
【００９５】
以上説明した実施形態によれば、操作者による操作が行われていない場合には、情報処理端末をデジタルフォトフレームとして利用することができるとともに、操作者のライブカメラモードの要求があった場合には、情報処理端末をテレビ電話システムとして利用することができる。
【００９６】
また、本実施形態によれば、通信相手先の情報処理端末における応答操作（例えば、受話器を取ったり、通話ボタンを押したりするなどの応答操作）を介在せずに、通信相手先の情報処理端末側で撮影された画像を通信開始側の情報処理端末に表示させ、通信相手先の情報処理端末に通信開始側の情報処理端末で撮影された画像を表示させるとともに、表示と並行して通信開始側および通信相手先の両情報処理端末間で通話処理を行わせることができる。
【００９７】
また、本実施形態によれば、情報処理端末の操作者のスケジュールを予め登録しておくことで、相手先の操作者が不在の場合には、当該操作者が不在であると判定した場合に、当該通信開始側の情報処理端末に不在理由の通知を行うことができる。
【００９８】
具体的には、自宅から遠く離れた遠隔地に居る者（入院患者や単身赴任者など）が、家族や身内が住んでいる住居に設置された情報処理端末における応答操作を介在せずに、その住居の様子を気軽に確認することができるとともに、他方、家族や身内も、遠隔地に居る者（入院患者や単身赴任者など）の応答操作を介在せずに遠隔地に居る者の様子を気軽に確認することができる。
【００９９】
例えば、遠隔地に居る者（入院患者や単身赴任者など）は、夕食などの食事時間帯に、リビングなど家族や身内が食事する場所の映像を端末に表示させ、一方、家族や身内側にも、遠隔地に居る者（入院患者や単身赴任者など）の映像を表示させることで、一緒に食事をしている感覚を共有することができる。
【０１００】
また、例えば、遠隔地に居る者（入院患者や単身赴任者など）は、家族や身内が住む住居の玄関の映像を端末に表示させ、一方、家族や身内側にも、遠隔地に居る者（入院患者や単身赴任者など）の映像を表示させることで、遠隔地に居る者が家族や身内の出勤や通学を見送りすることができる。
【０１０１】
以上、例示的な実施形態に基づいて説明したが、本発明の実施形態は、前記した実施形態により限定されるものではない。
【０１０２】
例えば、前記した実施形態では、情報処理端末とサーバ装置で通信を行ってスケジュールをサーバ装置に登録する形態について説明したが、これ以外にも、例えば、情報処理端末がスケジュールを管理し、サーバ装置が、情報処理端末間の接続処理時に、該当する情報処理端末からスケジュールの情報を取得するような形態とすることも可能である。
【０１０３】
また、その他、情報処理端末には、スケジュールの登録を指示する機能が無く、サーバ装置を管理する側が他の通信方法により取得した情報に基づいて、サーバ装置にスケジュールを登録するような形態とすることも可能である。
【０１０４】
また、前記した実施形態では、サーバ装置を介在させる通信システムの場合について説明したが、これに限定されず、例えば、サーバ装置を介在させずに、情報処理端末間で直接通信することが可能な通信システムとすることも可能である。
【０１０５】
また、前記した実施形態では、専用の情報処理端末としての情報処理装置の場合について説明したが、これに限定されず、例えば、ＰＤＡ（Ｐｅｒｓｏｎａｌ  Ｄａｔａ  Ａｓｓｉｓｔａｎｔ）などの汎用の携帯型の情報処理端末に適用することも可能である。
【０１０６】
また、前記した実施形態では、１台のサーバ装置３のみを備える形態を示しているが、これに限定されず、複数のサーバ装置を備え、それら複数のサーバ装置で処理を分担するようにしても良いし、クラウド型のネットワークとすることも可能である。
【０１０７】
また、前記した実施形態の情報処理端末およびサーバ装置で実行される処理プログラムＰは、ＲＯＭなど記憶部に予め組み込むようにして提供する以外にも、インストール可能な形式または実行可能な形式のファイルでコンピュータで読み取り可能な記憶媒体に記録して提供したり、インターネットなどのネットワーク経由で提供または配布するようにして提供したりすることも可能である。
【０１０８】
その他、前記した実施形態における通信システム、情報処理端末、サーバ装置などのハードウェアおよびソフトウェアの構成や、各種表示画面の構成や、処理手順などは、単なる一例として記載したものであり、本実施形態は、これらにより限定されない。
【符号の説明】
【０１０９】
１  通信システム
２  情報処理端末
３  サーバ装置
４  ネットワーク
２１  ディスプレイ（表示手段）
２４  カメラ（撮影手段）
２００ｅ  メニュー処理部（制御手段）
２０４  記憶部（記憶手段）
２２１  第１のモード実行部（フォトモード実行手段）
２２２  第２のモード実行部（ライブモード実行手段）
２２３  スケジュール登録部（登録手段）
３００ｃ  登録処理部（登録手段）
【先行技術文献】
【特許文献】
【０１１０】
【特許文献１】特開２００６−２２９８０６号公報
【図１】
0005277235.tif 000002
【図２】
0005277235.tif 000003
【図３】
0005277235.tif 000004
【図４】
0005277235.tif 000005
【図５】
0005277235.tif 000006
【図６】
0005277235.tif 000007
【図７】
0005277235.tif 000008
【図８】
0005277235.tif 000009
【図９】
0005277235.tif 000010
【図１０】
0005277235.tif 000011
【図１１】
0005277235.tif 000012
【図１２】
0005277235.tif 000013
【図１３】
0005277235.tif 000014
【図１４】
0005277235.tif 000015
【図１５】
0005277235.tif 000016
【図１６】
0005277235.tif 000017
【図１７】
0005277235.tif 000018
【図１８】
0005277235.tif 000019